(57)【要約】【課題】  紙に置き換えることが可能な利便性を有する情報表示装置を実現すること。【解決手段】  情報処理システム１は、記憶性の表示パネル１４を備える情報担体１０と、バッテリ２７を含む処理ユニット２０とを別体の構成としながら、表示パネル１４に表示された情報の更新や、表示された情報に対する操作等、処理を行う必要が生じた場合には、処理ユニット２０を情報担体１０と接続することにより、所望の処理を行うことが可能となる。そのため、「紙」に近い表示装置として本来的に必要な機能である「表示」を維持する以外の構成物を、通常の使用時において、情報処理システム１から切り離すことが可能となる。したがって、紙に置き換えることが可能な利便性を有する情報表示装置を実現することが可能となる。【選択図】  図１
2006277261.tif 000002
【特許請求の範囲】
【請求項１】
所定の接続動作によって互いに通信可能となる情報処理装置と情報保持装置とを含む情報処理システムであって、
前記情報保持装置は、
所定の情報処理に係る処理コンテキストを記憶する処理コンテキスト記憶手段を備え、
前記情報処理装置は、
通信可能となった前記情報保持装置から処理コンテキストを取得し、取得した処理コンテキストに所定処理を施し、処理結果である処理コンテキストを前記情報保持装置の処理コンテキスト記憶手段に記憶する情報処理手段を備えることを特徴とする情報処理システム。
【請求項２】
前記情報保持装置は、
所定のアプリケーションプログラムを記憶するアプリケーション記憶手段をさらに備え、
前記処理コンテキスト記憶手段は、前記アプリケーションプログラムに係る処理コンテキストを記憶することを特徴とする請求項１記載の情報処理システム。
【請求項３】
前記情報保持装置は、所定処理にそれぞれ対応した、前記情報処理装置と接続するための接続手段を複数備え、
前記情報処理手段は、自装置が接続された前記接続手段が対応している所定処理を判定する判定手段を備え、
該接続手段に接続された前記情報処理装置の情報処理手段は、前記判定手段によって判定された所定処理を行い、その処理結果である処理コンテキストを前記処理コンテキスト記憶手段に記憶することを特徴とする請求項１または２記載の情報処理システム。
【請求項４】
前記情報処理装置と前記情報保持装置との接続を解除可能であることを報知する報知手段をさらに備え、
前記情報処理装置の情報処理手段は、所定処理を施した結果である前記処理コンテキストを前記処理コンテキスト記憶手段に記憶した後、前記報知手段によって、前記情報保持装置との接続を解除可能であることを報知することを特徴とする請求項１から３のいずれか１項に記載の情報処理システム。
【請求項５】
前記情報保持装置は、前記情報処理装置の電源から電力の供給を受けて動作することを特徴とする請求項１から４のいずれか１項に記載の情報処理システム。
【請求項６】
前記情報保持装置は、表示状態を不揮発的に保持可能な記憶性の表示装置を備えることを特徴とする請求項１から５のいずれか１項に記載の情報処理システム。
【請求項７】
所定の接続動作によって互いに通信可能となる情報処理装置と情報保持装置とを含む情報処理システムにおける情報処理装置であって、
所定の情報処理に係る処理コンテキストを記憶する前記情報保持装置と通信可能となった場合に、該情報保持装置から処理コンテキストを取得し、取得した処理コンテキストに対し、前記所定処理を施し、処理結果である処理コンテキストを前記情報保持装置の処理コンテキスト記憶手段に記憶する情報処理手段を備えることを特徴とする情報処理装置。
【請求項８】
所定の接続動作によって互いに通信可能となる情報処理装置と情報保持装置とを含む情報処理システムにおける情報保持装置であって、
所定の情報処理に係る処理コンテキストを記憶する処理コンテキスト記憶手段を備え、
通信可能となった前記情報処理装置に対し、前記処理コンテキスト記憶手段に記憶された処理コンテキストを出力すると共に、前記情報処理装置の処理結果である処理コンテキストを前記処理コンテキスト記憶手段に記憶することを特徴とする情報保持装置。
【請求項９】
所定の接続動作によって互いに通信可能となる情報処理装置と情報保持装置とを用いた情報処理方法であって、
前記情報保持装置が、所定の情報処理に係る処理コンテキストを記憶し、
前記情報処理装置が、通信可能となった前記情報保持装置から処理コンテキストを取得し、取得した処理コンテキストに所定処理を施し、処理結果である処理コンテキストを前記情報保持装置に記憶させることを特徴とする情報処理方法。
【発明の詳細な説明】
【技術分野】
【０００１】
本発明は、複数の装置が連携して処理を実行する情報処理システム、情報処理装置、情報保持装置および情報処理方法に関する。
【背景技術】
【０００２】
従来、ＰＣ（Personal Computer）等の情報処理装置は、処理対象のデータを装置内部に備えたり、処理対象のデータを記憶している記憶媒体あるいはネットワーク上のリソースと接続したりすることで、その処理過程において、処理対象となる情報を包括的に保持した状態で処理を行っている。即ち、従来の情報処理装置は、処理すべき情報を装置上に集約する形態のシステム構成とされている。
【０００３】
そして、従来の情報処理装置においては、複数の処理対象情報を並行して処理するためのマルチタスク機能が備えられ、タスクの優先度や処理経過に応じてスケジューリングし、マルチタスク処理を実行している（例えば、特許文献１参照）。
【特許文献１】特開２００４−２２００７０号公報
【発明の開示】
【発明が解決しようとする課題】
【０００４】
しかしながら、従来の情報処理装置においては、処理すべき情報を装置上に集約する形態のシステム構成であるため、情報処理装置の性能や特性の制約を免れず、例えば、ユーザインターフェースとしても、情報処理装置が小型のものであれば、ユーザは狭い画面を凝視しつつ、姿勢を制限された状態で操作することを余儀なくされる。
また、処理対象の情報が装置に集約され、無体化した状態となっているため、処理装置の操作時以外は、ユーザにとって処理対象の情報を認識し難いものとなる。したがって、処理対象の情報に対する現実感が喪失され易く、重要な処理対象の存在を忘れてしまう等の事態を生じ得る。反対に、このような事態を懸念するあまり、いわゆるサイバーストレスといった負担をユーザに与えることもあり得る。
【０００５】
さらに、例えば商品の伝票の情報のように、処理対象の情報が物品に伴われる等して移動する場合もあり、このような状況においては、処理対象の情報を、複数の処理装置によって断続的に取り扱うこととなる。そして、このような場合には、処理対象の情報を装置上に集約することは適切でない。
一方、上述のような問題を単純に解決しようとする場合、処理対象の情報毎に情報処理装置を用意しておくことが考えられるが、それぞれの情報処理装置に電源を用意する必要がある等、コストおよび省資源の面から不適当な対策であると考えられる。
【０００６】
即ち、従来の情報処理装置にように、処理すべき情報を装置上に集約する形態の情報処理装置においては、情報処理装置ではなく処理対象の情報を主体として取り扱うことが困難であり、有体物として情報を認識し難く、ユーザにとって必ずしも利便性の高くないものとなる場合があった。
本発明の課題は、装置によって情報を取り扱う上で、処理対象の情報を主体として取り扱うことを容易とすると共に、有体物として情報を認識し易く、ユーザにとって利便性の高いものとすることである。
【課題を解決するための手段】
【０００７】
以上の課題を解決するため、本発明は、
所定の接続動作によって互いに通信可能となる情報処理装置（例えば、図１の処理ユニット２０あるいは図７の処理ユニット１２０）と情報保持装置（例えば、図１の情報担体１０あるいは図７の情報担体１１０）とを含む情報処理システムであって、前記情報保持装置は、所定の情報処理に係る処理コンテキストを記憶する処理コンテキスト記憶手段（例えば、図２のＮＶＲＡＭ１２あるいは図７のＮＶＲＡＭ１１２）を備え、前記情報処理装置は、通信可能となった前記情報保持装置から処理コンテキストを取得し、取得した処理コンテキストに所定処理を施し、処理結果である処理コンテキストを前記情報保持装置の処理コンテキスト記憶手段に記憶する情報処理手段（例えば、図２のＣＰＵ２２あるいは図７のＣＰＵ１２２）を備えることを特徴としている。
【０００８】
このような構成により、情報処理装置が情報保持装置に接続されると、その都度、情報保持装置の処理コンテキストが情報処理装置に復帰され、情報処理装置は、所定処理を実行する。その後、情報処理装置は、処理結果の処理コンテキストを情報保持装置に退避した後、情報保持装置との接続を解除される。
そのため、処理対象の情報が、情報保持装置と一体化したものとして認識され、複数の情報処理装置によって、いずれの情報処理装置も区別することなく情報を取り扱うこと等が可能となる。
【０００９】
したがって、装置によって情報を取り扱う上で、処理対象の情報を主体として取り扱うことが容易となると共に、有体物として情報を認識し易く、ユーザにとって利便性の高いものとすることができる。
また、前記情報保持装置は、所定のアプリケーションプログラムを記憶するアプリケーション記憶手段（例えば、図７のＲＯＭ１１５）をさらに備え、前記処理コンテキスト記憶手段は、前記アプリケーションプログラムに係る処理コンテキストを記憶することを特徴としている。
【００１０】
このような構成により、情報保持装置に所定の機能を持たせることが可能となり、ユーザに対し、情報保持装置を所定のアプリケーションと一体的なものと認識させることが可能となる。
また、前記情報保持装置は、所定処理にそれぞれ対応した、前記情報処理装置と接続するための接続手段（例えば、図２の接続部１７あるいは図７の接続部１１６）を複数備え、前記情報処理手段は、自装置が接続された前記接続手段が対応している所定処理を判定する判定手段（例えば、図２のＣＰＵ２２あるいは図７のＣＰＵ１２２）を備え、該接続手段に接続された前記情報処理装置の情報処理手段は、前記判定手段によって判定された所定処理を行い、その処理結果である処理コンテキストを前記処理コンテキスト記憶手段に記憶することを特徴としている。
【００１１】
このような構成により、ユーザは、接続手段を選択して情報処理装置を接続させることで、意図する処理を行わせることが可能となる。
また、前記情報処理装置と前記情報保持装置との接続を解除可能であることを報知する報知手段（例えば、図７の振動素子１２４）をさらに備え、前記情報処理装置の情報処理手段は、所定処理を施した結果である前記処理コンテキストを前記処理コンテキスト記憶手段に記憶した後、前記報知手段によって、前記情報保持装置との接続を解除可能であることを報知することを特徴としている。
【００１２】
このような構成により、ユーザに対し、情報保持装置と情報処理装置との接続を解除可能なタイミングを知らせることが可能となる。
また、前記情報保持装置は、前記情報処理装置の電源から電力の供給を受けて動作することを特徴としている。
このような構成により、情報保持装置に重量の比較的大きい電源を備える必要がなくなり、情報保持装置を軽量なものとすることができる。
【００１３】
また、前記情報保持装置は、表示状態を不揮発的に保持可能な記憶性の表示装置を備えることを特徴としている。
このような構成により、情報保持装置は、情報処理装置と接続されていない場合にも、処理状態を不揮発的に表示することが可能となり、情報保持装置を、記憶している情報と一体の有体物として認識させることが容易となる。
【００１４】
また、本発明は、
所定の接続動作によって互いに通信可能となる情報処理装置と情報保持装置とを含む情報処理システムにおける情報処理装置であって、所定の情報処理に係る処理コンテキストを記憶する前記情報保持装置と通信可能となった場合に、該情報保持装置から処理コンテキストを取得し、取得した処理コンテキストに対し、前記所定処理を施し、処理結果である処理コンテキストを前記情報保持装置の処理コンテキスト記憶手段に記憶する情報処理手段を備えることを特徴としている。
【００１５】
また、本発明は、
所定の接続動作によって互いに通信可能となる情報処理装置と情報保持装置とを含む情報処理システムにおける情報保持装置であって、所定の情報処理に係る処理コンテキストを記憶する処理コンテキスト記憶手段を備え、通信可能となった前記情報処理装置に対し、前記処理コンテキスト記憶手段に記憶された処理コンテキストを出力すると共に、前記情報処理装置の処理結果である処理コンテキストを前記処理コンテキスト記憶手段に記憶することを特徴としている。
【００１６】
また、本発明は、
所定の接続動作によって互いに通信可能となる情報処理装置と情報保持装置とを用いた情報処理方法であって、前記情報保持装置が、所定の情報処理に係る処理コンテキストを記憶し、前記情報処理装置が、通信可能となった前記情報保持装置から処理コンテキストを取得し、取得した処理コンテキストに所定処理を施し、処理結果である処理コンテキストを前記情報保持装置に記憶させることを特徴としている。
【００１７】
このように、本発明によれば、装置によって情報を取り扱う上で、処理対象の情報を主体として取り扱うことを容易とすると共に、有体物として情報を認識し易く、ユーザにとって利便性の高いものとすることが可能となる。
より具体的には、紙と同様な自由な使用形態で、紙と同様の安心感のある形態で情報を取り扱うことが可能な情報表示装置を、比較的安価に実現することが可能となる。
【発明を実施するための最良の形態】
【００１８】
以下、図を参照して本発明に係る情報表示装置の実施の形態を説明する。
（第１の実施の形態）
本実施の形態においては、情報表示装置を電子ブックとして使用し、電子ブックのコンテンツを、情報担体に具現化された有体物として取り扱う場合を例に挙げて説明する。
図１は、本発明の第１の実施の形態に係る情報処理システム１の外観構成を示す図であり、図２は、情報処理システム１の機能構成を示すブロック図である。
【００１９】
図１および図２において、情報処理システム１は、紙のように軽薄な形態を有する情報担体１０と、ペン型の処理ユニット２０とによって構成されている。
情報担体１０は、データ記憶部１１と、ＮＶＲＡＭ（Non-Volatile Random Access Memory）１２と、表示駆動部１３と、表示パネル１４と、指示入力部１５と、接続制御部１６と、接続部１７とを含んで構成され、これらはバス１８によって通信可能に接続されている。
【００２０】
データ記憶部１１は、フラッシュメモリ等の不揮発性のメモリによって構成され、後述する接続部１７を介してデータインターフェース（以下、「データＩ／Ｆ」と称する。）２１から入力されたデータを記憶可能である。
ＮＶＲＡＭ１２は、ＦｅＲＡＭ／ＦＲＡＭ（Ferroelectric Random Access Memory）、ＭＲＡＭ（Magnetoresistive Random Access Memory）等のメモリによって構成され、ＣＰＵ２２が処理を実行する際にワークエリアを形成すると共に、その処理結果を記憶する。
【００２１】
表示駆動部１３は、表示パネル１４を直接制御し、後述するグラフィックアクセラレータ（以下、「ＧＡ」と称する。）２４から入力された描画データを表示パネル１４に表示させる。具体的には、表示駆動部１３は、ＧＡ２４によって図形データが入力される描画データ書き込み部１３ａを備えている。そして、表示駆動部１３は、描画データ書き込み部１３ａに入力された描画データを参照して、表示パネル１４のＸドライバおよびＹドライバを駆動することにより、描画対象であるラスタ図形を表示パネル１４に表示させる。
【００２２】
なお、表示パネル１４を駆動する方式として、例えば、パッシブマトリクス駆動方式、ＴＦＴ（Thin Film Transistor）方式、ＴＦＤ（Thin Film Diode）方式、Ｄ−ＴＦＤ（Digital Thin Film Diode）方式等が採用可能である。
表示パネル１４は、Ａ４サイズの高画素密度（多ピクセル）である表示装置によって構成され、表示駆動部１３の制御に応じて、所定画素に画素データを表示する。
【００２３】
また、表示パネル１４として、記憶性の表示装置（電源を切断しても表示画面が維持される表示装置）が使用される。したがって、表示画面の状態を維持するためには電力が不要となることから、情報処理システム１を低消費電力化することができる。
なお、表示パネル１４として、例えば、電気泳動ディスプレイ、コレステリック液晶ディスプレイ、帯電トナーを利用したディスプレイ、ツイストボールを利用したディスプレイあるいはエレクトロデポジションディスプレイ等が採用可能である。
【００２４】
指示入力部１５は、所定のユーザインターフェースを備え、ユーザによる指示入力を受け付ける。この指示入力部１５としては、押しボタン等の機械的なインターフェースや、後述する接続部１７の機能を兼ね備えた電磁的なインターフェースとすることが可能である（図３参照）。
接続制御部１６は、接続部１７を介して行われる情報および電力の入出力を制御する。
【００２５】
即ち、接続制御部１６は、表示駆動部１３あるいは指示入力部１５から入力されるパラレルデータをシリアルデータに変換して、接続部１７に出力したり、接続部１７から入力されるシリアルデータをパラレルデータに変換して、データ記憶部１１、ＮＶＲＡＭ１２、表示駆動部１３あるいは指示入力部１５に出力したりする。接続制御部１６がこのような処理を行い、後述するように、処理ユニット２０側の接続制御部２５が同様の処理を行うことにより、バス１８と処理ユニット２０のバス２８との間で送受信される情報が、双方向にシリアル変換され、バス１８と処理ユニット２０のバス２８とがバス間接続された状態となる。
【００２６】
また、接続制御部１６は、接続部１７を介して処理ユニット２０から電力が供給されていることを検出し、接続部１７を介して入力された交流電力を整流した上で、データ記憶部１１、ＮＶＲＡＭ１２、表示駆動部１３あるいは指示入力部１５に出力する。
接続部１７は、情報担体１０と処理ユニット２０との間で情報および電力を入出力するためのインターフェースである。具体的には、接続部１７は、情報の入出力を行うためのコイルと、電力の入出力を行うためのコイルとを備えており、処理ユニット２０の接続部２６に同様に備えられている２つのコイルそれぞれと電磁的に結合することによって、情報および電力を入出力する。なお、接続部１７と接続部２６との間においては、上述のコイルによって情報および電力を同時に入出力することや、情報および電力を伝達する際に、互いに干渉することを確実に防ぐため、時分割により、それぞれを切り替えて入出力することが可能である。
【００２７】
なお、異なる指示入力内容それぞれに対応する接続部１７を備えることにより、接続部１７が、電磁的なユーザインターフェースからなる指示入力部１５の機能を兼ね備える構成とすることが可能である。
図３は、接続部１７が、電磁的なユーザインターフェースからなる指示入力部１５の機能を兼ね備える構成例を示す図である。
【００２８】
図３において、左側の接続部１７は、図２におけるページ捲りボタンに対応する指示入力部１５の機能を備え、処理ユニット２０が左側の接続部１７に接続されると、電力の供給および情報の入出力が行われると共に、ページを捲る旨の指示入力が行われる。同様に、右側の接続部１７は、図２におけるページ戻りボタンに対応する指示入力部１５の機能を備え、処理ユニット２０が右側の接続部１７に接続されると、電力の供給および情報の入出力が行われると共に、ページを戻す旨の指示入力が行われる。
【００２９】
なお、図３においては、各ボタンに対応する位置に接続部１７が備えられる例について説明したが、情報担体１０の全面にわたって、接続部１７をマトリクス状に備えておくことも可能である。このような構成により、処理ユニット２０が接続された情報担体１０上の位置を把握できるため、表示された文書を選択する等、多様な処理を行うことが可能となる。
【００３０】
次に、処理ユニット２０は、データＩ／Ｆ２１と、ＣＰＵ２２と、記憶部２３と、ＧＡ２４と、接続制御部２５と、接続部２６と、バッテリ２７とを含んで構成され、これらはバス２８によって通信可能に構成されている。
データＩ／Ｆ２１は、処理ユニット２０外部からデータを入力することが可能なインターフェースであり、例えば、通信インターフェースあるいは記憶メディアのスロット等によって構成される。そして、データＩ／Ｆ２１を介して入力されたデータは、接続部２６から情報担体１０に出力され、情報担体１０のデータ記憶部１１に記憶される。
【００３１】
ＣＰＵ２２は、情報処理システム１全体を制御するもので、指示入力部１５から入力される各種の指示信号に従って、記憶部２３のプログラム記憶部２３ａに記憶された各種処理に関するプログラムを読み出して実行する。また、ＣＰＵ２２は、データ記憶部１１あるいはデータＩ／Ｆ２１に差し込まれた記憶メディアに記憶されているコンテンツデータを表示パネル１４に表示するための処理を行う。そして、ＣＰＵ２２は、各種処理結果を記憶部２３のＲＡＭ２３ｂに格納する。
【００３２】
記憶部２３は、フラッシュメモリ等の不揮発性のメモリからなるプログラム記憶部２３ａを備えており、このプログラム記憶部２３ａは、情報処理システム１を制御するための各種プログラムを記憶している。
また、記憶部２３は、ＤＲＡＭ（Dynamic Random Access Memory）あるいはＳＲＡＭ（Static Random Access Memory）等の揮発性のメモリからなるＲＡＭ２３ｂを備え、ＲＡＭ２３ｂは、ＣＰＵ２２が処理を実行する際に生成される各種データを一時的に保持することが可能である。ＲＡＭ２３ｂとしては、低消費電力でデータを保持可能なＳＲＡＭ等が望ましく、不揮発性のＦｅＲＡＭ／ＦＲＡＭやＭＲＡＭ等がより望ましい。
【００３３】
ＧＡ２４は、ＣＰＵ２２の命令に従って、表示パネル１４に表示する画像の描画処理を高速に行うことが可能なハードウェアである。具体的には、ＧＡ２４は、ＣＰＵ２２から入力されたベクトル図形をラスタ図形に展開するといった処理を行う。そして、ＧＡ２４は、描画処理を行った図形を表示パネル１４に描画するための描画データを表示駆動部１３に出力する。
【００３４】
接続制御部２５は、接続部２６を介して行われる情報および電力の入出力を制御する。即ち、接続制御部２５は、ＣＰＵ２２、記憶部２３、ＧＡ２４あるいはバッテリ２７から入力されるパラレルデータをシリアルデータに変換して、接続部２６に出力したり、接続部２６から入力されるシリアルデータをパラレルデータに変換して、ＣＰＵ２２、記憶部２３、ＧＡ２４あるいはバッテリ２７に出力したりする。また、接続制御部２５は、バッテリ２７から入力された直流電力を交流化し、接続部２６に出力する。
【００３５】
接続部２６は、情報担体１０と処理ユニット２０との間で情報および電力を入出力するためのインターフェースである。具体的には、接続部２６は、情報の入出力を行うためのコイルと、電力の入出力を行うためのコイルとを備えており、情報担体１０の接続部１７に同様に備えられている２つのコイルそれぞれと電磁的に結合することによって、情報および電力を入出力する。
【００３６】
バッテリ２７は、一次電池あるいは二次電池によって構成され、情報処理システム１の各部に電力を供給する。
上述のような構成の下、情報処理システム１が所定のプログラムを実行することにより、図２に示す解析・整形部１１０および描画処理部１２０を実現することが可能となる。
解析・整形部１１０は、データ記憶部１１に記憶された文書データを中間形式に変換する。具体的には、文書データを描画要素に分解し、高速に表示処理できる形式（中間形式）で記述する。
【００３７】
描画処理部１２０は、解析・整形部１１０によって中間形式とされたデータを、表示パネル１４に表示するための描画処理を行う。例えば、描画処理部１２０は、中間形式に含まれる描画要素をラスタ化する処理等を行う。
次に、動作を説明する。
本実施の形態に係る情報処理システム１は、情報担体１０の接続部１７と処理ユニット２０の接続部２６とが電磁的に結合されることにより、処理ユニット２０から情報担体１０に電力が供給されると共に情報の入出力が可能な状態となり、情報処理システム１全体として動作可能となる。
【００３８】
そして、処理ユニット２０のデータＩ／Ｆ２１を介して文書データが入力されると、その文書データが情報担体１０のデータ記憶部１１に記憶される。なお、データＩ／Ｆ２１が記憶メディアのスロットである場合、データ記憶部１１にデータを記憶することなく、スロットに差し込まれた記憶メディアから直接データを読み出して利用することとしてもよい。
【００３９】
すると、処理ユニット２０上に構成された解析・整形部１１０が、文書データの処理を開始する。即ち、解析・整形部１１０は、文書データの文書構造を解釈し、その構造に従って、画面表示のためのレイアウト処理を行う。そして、解析・整形部１１０は、レイアウト処理された文書データを中間形式のデータとしてＮＶＲＡＭ１２に記憶する。
なお、このとき、情報担体１０のＮＶＲＡＭ１２は、スタティックデータ領域（処理中のページ番号等、処理の状態を表すデータを記憶する領域）としても使用される。
【００４０】
次に、描画処理部１２０は、ＮＶＲＡＭ１２に記憶された中間形式のデータから描画データを生成し、表示駆動部１３の描画データ書き込み部１３ａに書き込む。
すると、表示駆動部１３は、描画データ書き込み部１３ａに書き込まれた描画データに応じて表示パネル１４を駆動し、表示パネル１４に文書が表示される。
また、処理ユニット２０が接続部１７から切り離されると、情報担体１０には電力が供給されない状態となり、各部の動作が停止する。
【００４１】
ただし、表示パネル１４は記憶性を有することから、処理ユニット２０から電力の供給が停止された後も、引き続き、表示された状態が維持され、同様に、ＮＶＲＡＭ１２に記憶されたスタティックデータおよび中間形式のデータも、ＮＶＲＡＭ１２の不揮発性により保持される。さらに、データ記憶部１１も不揮発性のメモリであることから、データ記憶部１１に記憶された文書データも保持される。
【００４２】
このように、情報担体１０は、電力の供給が行われていない状態、即ち、処理ユニット２０から切り離され、情報担体１０単独の状態でも、情報を表示し続けることが可能であるため、紙と同様の操作性を実現することができる。
さらに、一旦切り離された処理ユニット２０を、情報担体１０に再度接続すると、ＣＰＵ２２は、ＮＶＲＡＭ１２に記憶されたスタティックデータを確認し、有効なデータであると判定した場合には、文書データの表示処理を、現在の表示状態から継続させる。なお、ＮＶＲＡＭ１２に記憶されたスタティックデータが有効なものであるか否かは、データ形式が処理ユニット２０の処理対象として適合するものかどうかによって判定したり、スタティックデータにチェックサムを付加しておき、そのチェックサムによって判定したりすることが可能である。
【００４３】
また、本実施の形態においては、処理ユニット２０が情報担体１０に対する操作子となっているため、ユーザがページを捲る等の操作を行う場合、上述のように、処理ユニット２０が情報担体１０から切り離され、再度接続される動作が逐次行われる。即ち、ユーザが操作を行う場合、処理ユニット２０を情報担体１０に接続することにより、指示入力部１５を介してページを捲る旨の指示信号を入力したり、あるいは、処理ユニット２０に備えられた不図示の指示ボタン等からページを捲る旨の指示信号を入力したりする。
【００４４】
すると、入力された指示信号は、ＣＰＵ２２に入力され、ＣＰＵ２２が、指示に応じた処理を行う。
また、本実施の形態においては、処理ユニット２０が情報担体１０に対する操作子となっているため、ユーザがページを捲る等の操作を行う場合、上述のように、処理ユニット２０が情報担体１０から切り離され、再度接続される動作が逐次行われる。即ち、ユーザが操作を行う場合、処理ユニット２０を情報担体１０に接続することにより、指示入力部１５を介してページを捲る旨の指示信号を入力したり、あるいは、処理ユニット２０に備えられた不図示の指示ボタン等からページを捲る旨の指示信号を入力したりする。
【００４５】
すると、入力された指示信号は、ＣＰＵ２２に入力され、ＣＰＵ２２が、指示に応じた処理を行う。
このように、表示される文書に関連する情報（文書データ、中間形式のデータおよびスタティックデータ）を情報担体１０側に記憶しておくことにより、処理ユニット２０には、接続された情報担体１０と不可分のデータが残されないため、接続する情報担体１０を任意のタイミングで異なるものに変更することが可能となる。
【００４６】
以上のように、本実施の形態に係る情報処理システム１は、記憶性の表示パネル１４を備える情報担体１０と、バッテリ２７を含む処理ユニット２０とを別体の構成としながら、表示パネル１４に表示された情報の更新や、表示された情報に対する操作等、処理を行う必要が生じた場合には、処理ユニット２０を情報担体１０と接続することにより、所望の処理を行うことが可能となる。
【００４７】
そのため、「紙」に近い表示装置として本来的に必要な機能である「表示」を維持する以外の構成物を、通常の使用時において、情報処理システム１から切り離すことが可能となる。
したがって、「紙」に近い良好な表示品質と、情報の再利用性（表示された情報を電子データとして取り扱う機能）とを兼ね備えつつ、装置自体を軽装化することができるため、従来の情報表示装置に比べ、操作性を大幅に向上させることが可能となる。
【００４８】
なお、本実施の形態における情報担体１０を図４に示す構成とすることによって、複数の情報担体１０それぞれを識別して取り扱うことも可能である。
図４は、情報担体１０それぞれが、個々の情報担体１０を識別するためのＩＤ記憶部１０Ｐを備える構成を示している。
このような構成とした場合、ＩＤによって種々の管理を行いつつ、１つの処理ユニット２０が複数の情報担体１０を操作することが可能となる。具体的には、表示対象であるデータが処理ユニット２０に記憶されている場合あるいはネットワーク上のサーバに記憶されている場合等であっても、情報担体１０と対応付けることが可能となる。したがって、情報処理システム１の用途の幅を広げることができる。
【００４９】
また、本実施の形態においては、表示パネル１４が記憶性の表示体を備える例について説明したが、記憶性を有する表示体に代えて、記憶性を有しない表示体と、その表示状態を維持するための小規模な電源とを併せ持つ構成とすることも可能である。
図５は、記憶性の表示体に代えて、記憶性を有しない表示体と、その表示状態を維持するための小規模な電源（保持電源１０Ｑ）とを併せ持つ情報担体１０の構成を示す図である。
【００５０】
このような構成により、非記憶性の表示体を用いる場合でも、実質的に記憶性を有する表示体として利用することができる。
また、本実施の形態においては、ＣＰＵ２２、記憶部２３、ＧＡ２４が処理ユニット２０に備えられる構成について説明したが、バッテリ２７以外の構成部分については、処理ユニット２０あるいは情報担体１０のいずれに備えられることとしても良い。
（第２の実施の形態）
次に、本発明の第２の実施の形態について説明する。
【００５１】
本実施の形態においては、情報表示装置を電卓として使用し、情報処理におけるコンテキストを、情報担体に具現化された有体物として取り扱う場合を例に挙げて説明する。
図６は、本発明の第２の実施の形態に係る情報処理システム２（情報担体側）の外観構成を示す図であり、図７は、情報処理システム２の機能構成を示すブロック図である。
図６および図７において、情報処理システム２は、紙のように軽薄な形態を有する情報担体１１０と、ペン型の処理ユニット１２０とによって構成されている。
【００５２】
情報担体１１０は、データ記憶部１１１と、ＮＶＲＡＭ１１２と、表示駆動部１１３と、表示パネル１１４と、ＲＯＭ（Read Only Memory）１１５と、接続部１１６とを含んで構成され、これらはバス１１８によって通信可能に接続されている。
データ記憶部１１１は、フラッシュメモリ等の不揮発性のメモリによって構成され、後述する接続部１１６を介して処理ユニット１２０から入力されたデータや、情報担体１１０上に表示可能な各種書類データを記憶する。
【００５３】
ＮＶＲＡＭ１１２は、ＦｅＲＡＭ／ＦＲＡＭ、ＭＲＡＭ等のメモリによって構成され、ＣＰＵ１２２が処理を実行する際に生成されたコンテキストや、情報担体１１０側に保持されるコンテキスト（以下、これらを「処理コンテキスト」と称する。）を記憶する。
図８は、ＮＶＲＡＭ１１２に記憶される処理コンテキストの一例を示す図である。
図８においては、処理コンテキストとして、情報担体１１０を電卓として機能させるプログラムにおける各種変数を示している。
【００５４】
なお、このような処理コンテキストは、処理ユニット１２０が接続されている場合には、ＣＰＵ１２２内のレジスタやＲＡＭ１２３に記憶することも可能である。ただし、この場合、処理ユニット１２０と情報担体１１０との接続が解除される際に、処理ユニット１２０側に記憶されているコンテキストは、情報担体１１０のＮＶＲＡＭ１１２に退避される。
【００５５】
表示駆動部１１３は、表示パネル１１４を直接制御し、ＣＰＵ１２２から入力された描画データを表示パネル１１４に表示させる。
表示パネル１１４は、高画素密度（多ピクセル）である表示装置によって構成され、表示駆動部１１３の制御に応じて、所定画素に画素データを表示する。
また、表示パネル１１４として、記憶性の表示装置（電源を切断しても表示画面が維持される表示装置）が使用される。したがって、表示画面の状態を維持するためには電力が不要となることから、情報処理システム１を低消費電力化することができる。
【００５６】
ＲＯＭ１１５は、ＥＥＰＲＯＭ（Electrically Erasable Programmable Read-Only Memory）等の不揮発性の半導体メモリによって構成され、情報担体１１０におけるコンテンツを実現するためのアプリケーションプログラムを記憶している。
接続部１１６は、情報担体１１０と処理ユニット１２０との間で情報および電力を入出力するためのインターフェースである。具体的には、接続部１１６は、超広帯域の近接無線（例えば、ＵＷＢ：Ultra Wide Band等）による通信装置と、電力の入出力を行うためのコイルとを備えており、処理ユニット１２０の接続部１２６に同様に備えられている通信装置と無線により接続し、また、接続部１２６のコイルと電磁的に結合することによって、情報および電力を入出力する。
【００５７】
また、接続部１１６は、異なる指示入力内容それぞれに対応して備えられており、それぞれの接続部１１６を識別するためのＩＤ記憶素子が、各接続部１１６に備えられている。
即ち、図６に示すように、情報担体１１０は、電卓のユーザインターフェースを表示しており、各ボタン部分に、各ボタンを識別するＩＤ記憶素子を備えた接続部１１６が設けられている。
【００５８】
そのため、例えば、“１”のボタンに対応する接続部１１６に処理ユニット１２０を接続すると、電力の供給および情報の入出力が行われると共に、ボタン“１”の接続部１１６を識別するＩＤがＣＰＵ１２２に入力される。そして、ＣＰＵ１２２がボタン“１”に対応するアプリケーションを実行する。
なお、ここでは、各ボタンに対応する位置に接続部１１６が備えられる例について説明したが、情報担体１０の全面にわたって、接続部１１６をマトリクス状に備えておくことも可能である。このような構成により、処理ユニット１２０が接続された情報担体１１０上の位置を把握できるため、表示された領域を選択する等、多様な処理を行うことが可能となる。
【００５９】
次に、処理ユニット１２０は、ＲＯＭ１２１と、ＣＰＵ１２２と、ＲＡＭ１２３と、振動素子１２４と、バッテリ１２５と、接続部１２６とを含んで構成され、バッテリ１２５以外の各部はバス１２７によって通信可能に構成されている。
ＲＯＭ１２１は、ＥＥＰＲＯＭ等の不揮発性の半導体メモリによって構成され、オペレーティングシステムプログラム（ＯＳ）等、処理ユニット１２０を制御するための各種プログラムを記憶している。
【００６０】
ＣＰＵ１２２は、情報処理システム２全体を制御するもので、接続部１２６によって情報担体１１０との接続が検出されると、その検出信号を割り込み信号として起動され、ＲＯＭ１２１に記憶されたＯＳを読み出して実行する。そして、ＣＰＵ１２２は、ＯＳの制御内容に従って、情報担体１１０のＲＯＭ１１５に記憶された各種処理に関するアプリケーションプログラムを読み出して実行する。そして、ＣＰＵ１２２は、各種処理結果をＣＰＵ１２２内のレジスタやＲＡＭ１２３に記憶しつつ処理を行い、処理が終了する際に、処理結果（処理コンテキスト）を情報担体１１０のＮＶＲＡＭ１１２に格納する。なお、この処理コンテキストは、ＣＰＵ１２２におけるプログラムカウンタやステータスレジスタの値およびレジスタに記憶されているコンテキストを含むものである。
【００６１】
ＲＡＭ１２３は、ＤＲＡＭ（Dynamic Random Access Memory）あるいはＳＲＡＭ（Static Random Access Memory）等の揮発性のメモリによって構成され、ＣＰＵ１２２が処理を実行する際に生成される各種データを一時的に保持する。
振動素子１２４は、例えば小型のモータ等によって構成され、ＣＰＵ１２２の指示に応じて振動する。
【００６２】
バッテリ１２５は、一次電池あるいは二次電池によって構成され、情報処理システム２の各部に電力を供給する。
接続部１２６は、処理ユニット１２０と情報担体１１０との間で情報および電力を入出力するためのインターフェースである。具体的には、接続部１２６は、超広帯域の近接無線（例えば、ＵＷＢ等）による通信装置と、電力の入出力を行うためのコイルとを備えており、情報担体１１０の接続部１１６に同様に備えられている通信装置と無線により接続し、また、接続部１１６のコイルと電磁的に結合することによって、情報および電力を入出力する。
【００６３】
上述のような構成の下、ユーザによって、処理ユニット１２０が情報担体１１０のいずれかの接続部１１６に当接されると、処理ユニット１２０から情報担体１１０に電力が供給され、情報処理装置２は、動作可能な状態となる。
このとき、処理ユニット１２０のＣＰＵ１２２は、処理ユニット１２０および情報担体１１０を一体とするメモリ空間を形成し、１つの装置として動作する。
【００６４】
図９は、情報処理装置２におけるメモリ空間のメモリマップを示す図である。
図９において、情報処理装置２におけるメモリ空間は、処理ユニット１２０および情報担体１１０によって構成され、ＲＯＭ１２１におけるＯＳプログラム等を記憶する領域、ＲＡＭ１２３におけるＯＳプログラムのデータ格納領域およびアプリケーションプログラムのスタック領域、振動素子１２４等のデバイスに関するＩ／Ｏ領域と、ＲＯＭ１１５におけるアプリケーションプログラム等を記憶する領域、ＮＶＲＡＭ１１２における処理コンテキストの保持領域および表示パネル１１４等のデバイスに関するＩ／Ｏ領域と含んでいる。
【００６５】
なお、処理ユニット１２０が他の情報担体Ｘと接続された場合には、その情報担体Ｘと一体となり、図９に示すメモリ空間を形成する。
次に、動作を説明する。
まず、情報処理装置２が使用される際の手順について説明する。
図１０は、情報処理装置２の使用手順を示すフローチャートである。
【００６６】
図１０において、情報処理装置２が使用される場合、ユーザが処理ユニット１２０の接続部１２６を情報担体１１０のいずれかの接続部１１６に当接させる（ステップＳ１）。
すると、電磁誘導により、コイルを介して処理ユニット１２０から情報担体１１０に電力が供給され（ステップＳ２）、次に、近接無線により、情報担体１１０と処理ユニット１２０のバスが接続される（ステップＳ３）。
【００６７】
そして、ＣＰＵ１２２に割り込み信号が入力され（ステップＳ４）、処理ユニット１２０と情報担体１１０とが一体として動作可能な状態になる。
すると、ＣＰＵ１２２は、情報担体１１０の接続部１１６からＩＤを取得し（ステップＳ５）、そのＩＤが、リセットを指示するボタン（例えばオールクリアを意味する“ＡＣ”ボタン等）のＩＤであるか否かの判定を行う（ステップＳ６）。
【００６８】
ステップＳ６において、取得したＩＤがリセットを指示するボタンのＩＤであると判定した場合、ＣＰＵ１２２は、情報担体１１０のＮＶＲＡＭ１１２の記憶された処理コンテキストを初期化し（ステップＳ７）、ステップＳ１２の処理に移行する。
一方、ステップＳ６において、取得したＩＤがリセットを指示するボタンのＩＤでないと判定した場合、ＣＰＵ１２２は、情報担体１１０のＮＶＲＡＭ１１２に退避されているコンテキストを復元し（ステップＳ８）、取得したＩＤに対応するアプリケーションプログラム（１操作に対応するプログラム）を実行する（ステップＳ９）。
【００６９】
次いで、ＣＰＵ１２２は、ステップＳ９において実行されたアプリケーションプログラムから、処理の終了を示す休止コールがＯＳに対して発行されたか否かの判定を行い（ステップＳ１０）、休止コールが発行されていないと判定した場合、ステップＳ９の処理に移行する。
一方、ステップＳ１０において、休止コールが発行されたと判定した場合、ＣＰＵ１２２は、終了した処理に関連するコンテキストを情報担体１１０のＮＶＲＡＭ１１２に退避し（ステップＳ１１）、振動素子１２４に対する動作の指示を出力し、情報担体１１０と処理ユニット１２０とを切断可能である旨をユーザに通知する（ステップＳ１２）。
【００７０】
そして、ＣＰＵ１２２は、休止状態（割り込み待ち状態）に移行し（ステップＳ１３）、ユーザが情報担体１１０から処理ユニット１２０を離すことにより、バスの接続および電力の供給が停止される（ステップＳ１４）。
なお、図１０に示すフローチャートのうち、ステップＳ９を除くステップＳ５〜Ｓ１３の処理はＯＳによる処理であり、ステップＳ９の処理はアプリケーションによる処理である。
【００７１】
続いて、情報担体１１０に処理ユニット１２０が接続された際の、アプリケーションプログラムに基づくＣＰＵ１２２の処理について説明する。
図１１は、アプリケーションプログラムに基づくＣＰＵ１２２の処理を示すフローチャートである。なお、図１１において、“Ｃ［ｎ］”（ｎは自然数）は、入力された数字列を保持するための文字配列、“Ｏ”は、現在指示されている四則演算の種類を保持する変数、“Ｎ”は確定された演算数、“Ａ”は被演算数であり、最新の演算経過を示している。
【００７２】
図１１において、情報担体１１０に処理ユニット１２０が接続されると、ＣＰＵ１２２は、情報担体１１０の接続部１１６から取得したＩＤの内容を判定する（ステップＳ１０１）。
ステップＳ１０１において、取得したＩＤが数字（“０”〜“９”）あるいは小数点（“．”）を示すボタンのＩＤであると判定した場合、ＣＰＵ１２２は、文字配列Ｃ［ｎ］に、ＩＤに対応する数字あるいは小数点を追加する（ステップＳ１０２）。
【００７３】
そして、ＣＰＵ１２２は、文字配列Ｃ［ｎ］を表示パネル１１４に表示し（ステップＳ１０３）、さらに、文字配列Ｃ［ｎ］を数値Ｎに変換した後（ステップＳ１０４）、ＯＳに対して休止コールを発行する（ステップＳ１０５）。
ステップＳ１０５の後、図１１に示す処理は終了し、ＯＳに処理が返される。
また、ステップＳ１０１において、取得したＩＤが数値Ｎの百分率、開平あるいはクリアを示すボタンのＩＤであると判定した場合、ＣＰＵ１２２は、取得したＩＤに対応する変換処理Ｔを選択し（ステップＳ１０６）、Ｎ＝Ｔ（Ａ，Ｎ，Ｏ）の演算を実行する（ステップＳ１０７）。
【００７４】
そして、ＣＰＵ１２２は、演算結果である“Ｎ”を表示パネル１１４に表示し（ステップＳ１０８）、文字配列Ｃ［ｎ］をクリアする（ステップＳ１０９）。
ステップＳ１０９の後、ＣＰＵ１２２は、ステップＳ１０５の処理に移行する。
また、ステップＳ１０１において、取得したＩＤが四則演算（“＋”、“−”、“×”、“÷”）あるいは等号（“＝”）を示すボタンのＩＤであると判定した場合、ＣＰＵ１２２は、保持中の“Ｏ”の内容に基づいて、Ａ＝Ｏ（Ａ，Ｎ）の演算を実行する（ステップＳ１１０）。
【００７５】
そして、ＣＰＵ１２２は、演算結果である“Ａ”を表示パネル１１４に表示し（ステップＳ１１１）、取得したＩＤに対応して演算内容“Ｏ”を更新した後（ステップＳ１１２）、文字配列Ｃ［ｎ］をクリアする（ステップＳ１１３）。
ステップＳ１１３の後、ＣＰＵ１２２は、ステップＳ１０５の処理に移行する。
次に、情報処理装置２が、上述のような処理に従って動作する具体例について説明する。
【００７６】
ここでは、“１２−９√＝”と入力し、演算結果を得る場合について説明する。
このとき、ユーザが、ボタン“1”の接続部１１６に処理ユニットを当接すると、図１０の手順に従って、図１１の処理が呼び出される。
そして、接続部１１６のＩＤにより数字入力に分岐し、Ｃ［ｎ］に“１”を追加して、情報担体１１０の表示パネル１１４に“１”を表示する。
【００７７】
次いで、Ｎを数値の１にした後、休止コールを発行して、ボタン“１”の接続処理は終了する。
この後、ＯＳの処理により、処理ユニット１２０は振動し、ユーザはボタンから処理ユニット１２０を離すことができる。
次に、ボタン“２”に接続する場合も同様の処理を経て、Ｃ［ｎ］は文字列“１２”を格納し、表示パネル１１４の表示を数値の１２とした後、Ｎに数値の１２が格納される。
【００７８】
さらに、ボタン“−”に接続すると、図１０の処理は演算子（“−”）の処理に分岐する。
ここで、演算内容は保持されていなかったため、最初のステップでは、Ａには無演算のまま１２が格納される。
続いて、“１２”および“−”の記号を表示し、Ｏに減算を登録して、Ｃ［ｎ］をクリアした後、休止コールを発行して、ボタン“−”の接続処理は終了する。
【００７９】
この後、ボタン“９”に接続すると、Ｃ［ｎ］に“９”、Ｎに数値９が入力された状態となり、表示パネル１１４における表示に“９”が加えられる。
次に、ボタン“√”に接続すると、図１１において変換処理に分岐し、処理として開平が選択されて、Ｎが数値３に変換される。
そして、表示パネル１１４における“９”の表示が“３”に改められ、Ｃ［ｎ］がクリアされた後、休止コールが発行される。
【００８０】
最後に、ボタン“＝”に接続すると、図１０の処理は演算子（“＝”）に分岐し、保持中の減算に基づき、Ａ（１２）−Ｎ（５）が演算され、Ａに結果の７が格納される。
この結果を表示パネル１１４に表示し、Ｏに無変換を登録し、Ｃ［ｎ］をクリアした後、休止コールが発行される。
このように、処理ユニット１２０が情報担体１１０に接続された際に行うべき処理の要素のみが、それぞれの接触において行われ、これらが連続の操作により組合わされることにより、全体の処理が遂行される。
【００８１】
連続するボタン操作間では、情報担体１１０上に処理のコンテキストが保持されているので、矛盾を生じることなく一連の処理を行うことが可能である。
また、連続するボタン操作の間では、処理ユニット１２０内には必要な情報（処理コンテキスト）が残されていないので、処理ユニット１２０が、別の情報担体１１０との間における処理を任意のタイミングで行うことも可能である。
【００８２】
また、１つのボタン操作が終了した後であれば、ある時点から別の処理ユニット１２０に換えて情報担体１１０を操作することも可能である。
なお、情報担体１１０に記憶されるアプリケーションプログラムは、上記の形態に限られるものでなく、ＯＳとアプリケーションとの役割の分担は様々な形態とすることが可能である。例えば、一連の関数（統合した１つのプログラム）にまとまっておらず、接続部１１６のＩＤ毎に処理を記述したルーチンの集合体のような形態としても良い。この場合、接続部１１６のＩＤ毎の処理のディスパッチはＯＳが行うこととなる。
【００８３】
以上のように、本実施の形態に係る情報処理装置２は、不揮発的に処理コンテキストを記憶可能な情報担体１１０と、演算処理機能を備えた処理ユニット１２０とが別体の構成とされている。そして、処理ユニット１２０が情報担体１１０の接続部１１６に接続されると、その都度、情報担体１１０の処理コンテキストが処理ユニット１２０に復帰され、処理ユニット１２０は、接続された接続部１１６に対応する処理を実行する。その後、処理ユニット１２０は、処理結果の処理コンテキストを情報担体１１０に退避した後、情報担体１１０との接続を解除される。
【００８４】
そのため、処理対象の情報が、情報担体１１０と一体化したものとして認識され、複数の処理ユニット１２０によって、いずれの処理ユニット１２０も区別することなく情報を取り扱うことができることとなる。
したがって、情報処理システムにおいて情報を取り扱う上で、処理対象の情報を主体として取り扱うことが容易となると共に、有体物として情報を認識し易く、ユーザにとって利便性の高いものとすることができる。
【００８５】
また、処理ユニット１２０は、それぞれ固有の処理コンテキストを記憶している複数の情報担体１１０に対し、いずれの情報担体１１０とも特定の関係を有することなく演算処理能力を提供するものとなるため、処理コンテキストを情報担体１１０に具現化した形態の、一種のマルチタスク処理システムを構築することができる。
なお、本実施の形態においては、処理ユニット１２０が、情報担体１１０と接続している間のみ処理を行うものとして説明したが、処理ユニット１２０において、情報担体１１０に関連したプログラムを実行するほかに、システムサービスを維持するためのシステムタスクを動作させることとしてもよい。このようなシステムタスクとしては、例えばファイルサービスのためのタスクや、ネットワーク通信のタスク、タスク間の情報のコピー＆ペースト、すなわちクリップボードサービス等が挙げられる。
【００８６】
このようなシステムタスクは、従来のマルチタスクシステムと同様の制御方法で、情報担体１１０に関連したプログラムを実行するタスクと並列動作させることが可能である。この場合、本実施の形態のＯＳのプログラムは、それらと並列な１つのタスクとして実現し、そのタスクに図１０の処理を行わせるように構成すれば良い。
また、本発明は、上記実施の形態に記載した以外の処理を行う構成とすることも可能である。
【００８７】
図１２は、本発明の他の実施の形態を示す図であり、情報のスクラップブック機能を実現する構成例を示す図である。
図１２において、処理ユニットがメニュー表示用の接続部に接続すると、情報担体上のプログラムは、「ルートメニュー」を表示する処理を行って休止する。
次いで、ユーザが、メニューで示された処理を選択し、対応する接続部（選択ボタン）に接続すると、情報担体上のプログラムはそのコンテキストに応じて指定の処理を行う。
【００８８】
例えば、「ルートメニュー」が表示された状態で、新規ページへのペーストに対応する接続部（選択ボタン）への接続操作をした際には、処理ユニットのクリップボードザービスにコピー格納された画像・テキスト・音声等の情報を取得して、新規ページに関連付けて記憶するといった動作を行って休止する。
このようにページに関連付けて記憶された情報は、接続部（ページ送りボタン）に接続した際に動作する情報担体上のプログラムにおいて、順次、表示パネルに表示されるように構成することができる。
【００８９】
また、「ルートメニュー」から選択可能となる「このページをコピー」の動作により、表示中の情報を、処理ユニットのクリップボードサービスに送出するように構成することができる。
このように、本発明においては、対話的な処理を行う情報担体を構成して、より複雑な処理を行わせることも可能となる。
【００９０】
さらに、上記第１および第２の実施の形態において、処理ユニット２０，１２０をペン型とする場合を例に挙げて説明したが、処理ユニット２０，１２０の形態としては、これに限られず、種々の形態とすることが可能である。
【図面の簡単な説明】
【００９１】
【図１】第１の実施の形態に係る情報処理システム１の外観構成を示す図である。
【図２】情報処理システム１の機能構成を示すブロック図である。
【図３】接続部１７が、電磁的なユーザインターフェースからなる指示入力部１５の機能を兼ね備える構成例を示す図である。
【図４】情報担体１０それぞれが、個々の情報担体１０を識別するためのＩＤ記憶部を備える構成を示す図である。
【図５】記憶性の表示体に代えて、記憶性を有しない表示体と、その表示状態を維持するための小規模な電源とを併せ持つ情報担体１０の構成を示す図である。
【図６】本発明の第２の実施の形態に係る情報処理システム２（情報担体側）の外観構成を示す図である。
【図７】情報処理システム２の機能構成を示すブロック図である。
【図８】ＮＶＲＡＭ１１２に記憶される処理コンテキストの一例を示す図である。
【図９】情報処理装置２におけるメモリ空間のメモリマップを示す図である。
【図１０】情報処理装置２の使用手順を示すフローチャートである。
【図１１】アプリケーションプログラムに基づくＣＰＵ１２２の処理を示すフローチャートである。
【図１２】本発明の他の実施の形態を示す図であり、情報のスクラップブック機能を実現する構成例を示す図である。
【符号の説明】
【００９２】
１，２  情報処理システム、１０，１１０  情報担体、１０Ｐ  ＩＤ記憶部、１０Ｑ  保持電源、１１，１１１  データ記憶部、１２，１１２  ＮＶＲＡＭ、１３，１１３  表示駆動部，１３ａ  描画データ書き込み部，１４，１１４  表示パネル、１５，２９  指示入力部、１１５，１２１  ＲＯＭ、１６  接続制御部、１７，１１６，２６，１２６  接続部，１８，２８，１１８，１２７  バス、２０，１２０  処理ユニット、２１  データＩ／Ｆ、２２，１２２  ＣＰＵ、２３  記憶部、２３ａ  プログラム記憶部、２３ｂ，１２３  ＲＡＭ、２４  ＧＡ、２５  接続制御部、２７，１２５  バッテリ、３０  電源ユニット，１１０  解析・整形部，１２０  描画処理部，１３０  抽出処理部
【図１】
2006277261.tif 000003
【図２】
2006277261.tif 000004
【図３】
2006277261.tif 000005
【図４】
2006277261.tif 000006
【図５】
2006277261.tif 000007
【図６】
2006277261.tif 000008
【図７】
2006277261.tif 000009
【図８】
2006277261.tif 000010
【図９】
2006277261.tif 000011
【図１０】
2006277261.tif 000012
【図１１】
2006277261.tif 000013
【図１２】
2006277261.tif 000014